(57)【要約】【課題】被験者の肉体的又は精神的ないやしあるいは治癒を促すような光を発し得る光治療装置を提供する。【解決手段】  １又は複数のケーシングと、外部に光を射出可能に前記ケーシングに収容したＬＥＤと、外部から入力された音声信号を受け付ける音声信号受付部と、受け付けた音声信号が示す音声の音量、音程又は音質の変化を、所定の変換パターンに基づいて前記ＬＥＤの視覚認識可能な光量変化に変換するパターン制御部とを備えるようにした。【選択図】図１
2008178702.tif 000002
【特許請求の範囲】
【請求項１】
１又は複数のケーシングと、
外部に光を射出可能に前記ケーシングに収容したＬＥＤと、
外部から入力された音声信号を受け付ける音声信号受付部と、
受け付けた音声信号が示す音量、音程又は音質の変化を、所定の変換パターンに基づいて前記ＬＥＤの光量変化に変換するＬＥＤ制御部とを備えている光治療装置。
【請求項２】
前記光量変化が視覚認識可能なものである請求項１記載の光治療装置。
【請求項３】
揺らぎ幅調整手段と、全体光量調整手段とをさらに備え、揺らぎ幅調整手段を操作することにより光量変化の振幅量を設定可能に構成するとともに、全体光量調整手段を操作することにより全体光量を設定可能に構成している請求項１又は２記載の光治療装置。
【請求項４】
音声信号受付部からＬＥＤ制御部に送信される音声信号の大きさが、ＬＥＤの許容最大光量に応じて予め定めた所定値の近傍又はそれを超えた時に発光する１又は複数のインジケータをさらに備えている請求項１、２又は３記載の光治療装置。
【請求項５】
音声信号受付部に入力された音声信号に対して出力される音声信号のゲインを調整するための音声ゲイン調整手段をさらに備え、
前記音声ゲイン調整手段を操作することにより、ＬＥＤの許容最大光量を超えない範囲で音声信号をＬＥＤの光量に変換できるように構成している請求項４記載の光治療装置。
【請求項６】
前記ＬＥＤ制御部が、前記音量、音程又は音質の変化が増大から減少に転じるポイントで常に一定の上限光量となるように、光量を変化させるものである請求項１又は２記載の光治療装置。
【請求項７】
前記変換パターンを複数種類記憶している変換パターン格納部と、
前記各変換パターンのうちから所望の変換パターンを選択するための選択入力部とをさらに備えている請求項１、２、３、４、５又は６記載の光治療装置。
【請求項８】
前記ＬＥＤ制御部が、受け付けた音声信号が示す音量、音程、音質のいずれか１つの変化に対応させて前記ＬＥＤからでる光の色を視覚認識可能に変化させる請求項１、２、３、４、５、６又は７記載の光治療装置。
【請求項９】
複数のケーシングを備えたものであって、各ケーシングから射出される光の揺らぎを同期させている請求項１、２、３、４、５、６、７又は８記載の光治療装置。
【請求項１０】
複数のケーシングを備えたものであって、各ケーシングから射出される光の揺らぎを異ならせている請求項１、２、３、４、５、６、７、８又は９記載の光治療装置。
【請求項１１】
前記ケーシングが多角錐状体である請求項１、２、３、４、５、６、７、８、９又は１０記載の光治療装置。
【発明の詳細な説明】
【技術分野】
【０００１】
本発明は、生体にＬＥＤから出た光をあてることにより、その生体に治療効果を与える光治療装置に関するものである。
【背景技術】
【０００２】
近時、患部または「つぼ」に光を照射することにより治療を施す光治療が注目されつつある。この光治療によれば、肩こり、腰痛などの痛み治療から、アトピー性皮膚炎の治療に至るまで、広範囲の症状に効果があることが認められている。そしてこのような光治療に用いる装置として、ガスレーザや半導体レーザ光を用いた光源、その光源を制御する制御装置、前記光源からでた光を導光する光ファイバ及びその光ファイバの先端に取り付けられた光照射プローブで構成されたものが知られている。
【０００３】
一方、このような光治療用の装置は大がかりで高価なうえ、安全管理も必要であることから、一般家庭でも使用できるものとして、特許文献１に示すように、光源にＬＥＤや半導体レーザ等の小型のものを用い、パッケージ内に一体に収容した非常にコンパクトで一般家庭でも手軽にかつ安全に使用できる光治療装置も開発されてきている。
【特許文献１】特開平９−２０１４２２号公報
【発明の開示】
【発明が解決しようとする課題】
【０００４】
ところが、このような従来の光治療装置においては、外観に考慮が払われておらず、光は単に患部に照射されるためにのみ用いられているため、この光による視覚的な作用から得られる「いやし」といった精神的な面での治療効果を得ることはできない。また従来のものは、光源からでる光を直接乃至レンズやライトガイドといった単純な導光体を介して照射するのみで、光の質を考えて治療効果を高めるといった発想は全くなされていない。このようなことから従来の光治療による効果の程度は、被験者によりまちまちで、あまり効かない場合も多々あるのが実情である。
【０００５】
そこで本発明は、一般家庭でも手軽にかつ安全に使用できるのはもちろんのこと、光による物理的な効果に加えて、光源であるＬＥＤからでる光による視覚的な効果（カラーセラピー効果）を併せて得られ、さらには光の質にまで考慮することにより、非常に高い治療効果を期待できる光治療装置を提供することをその主たる所期課題としたものである。
【課題を解決するための手段】
【０００６】
すなわち本発明に係る光治療装置は、１又は複数のケーシングと、外部に光を射出可能に前記ケーシングに収容したＬＥＤと、外部から入力された音声信号を受け付ける音声信号受付部と、受け付けた音声信号が示す音声の音量、音程又は音質の変化を、所定の変換パターンに基づいて前記ＬＥＤの光量変化に変換するＬＥＤ制御部とを備えていることを特徴とする。
【０００７】
ここで、「青色乃至緑色光」とは、波長にして約４００ｎｍから約５６０ｎｍまでの光のことをいい、一般に紫色と言われる波長域も含む。特に効果が顕著となるのは、波長にして約４５０ｎｍ〜約５３０ｎｍの光を発するＬＥＤを用いた場合である。また「治療」とは、痛み抑制や炎症鎮静などの物理的な目的のみならず、いわゆる「いやし」や入眠促進といった精神的な目的のために行うものも含む。「多角錐状体」には、四角錐や五角錐が含まれ、さらには、その先端を丸めたりカットするなどして、安全性や製作容易性を考慮したものも含まれる。
【０００８】
また、ＬＥＤは黄色乃至赤色（波長約５６０ｎｍ〜約８００ｎｍ）の可視光を発するものであっても使用可能である。
【０００９】
多角錐状体の先端が生体に直接あたるのを防止するとともに、この光治療装置を生体に好適に密着させ、光照射を良好に行えるようにするには、前記光射出口を覆う光透過性を有したキャップをさらに備え、そのキャップが生体所要箇所に密着させた場合に撓み変形を伴う弾性部材で構成されたものであることが望ましい。特にこのキャップの表面に、シリコーンシート等の粘着性を有する部材を添付しておけばなお好ましい。
【００１０】
被験者の体内リズムと照射される光のリズムとをマッチングできるようにし、効果をより高めるには、前記ＬＥＤから発される光の強弱を制御する制御装置をさらに備え、その制御装置が、音楽やお経などの音声を示す音声信号を受け付ける音声信号受付部と、その音声信号の示す音声の音量、音色、音程の少なくとも一つに合わせて前記ＬＥＤから発される光の発光パターンを制御するパターン制御部とを備えているものであることが好ましい。
【００１１】
具体的な実施態様としては、前記ケーシングが一端面を閉塞した筒状をなすものであり、他端面の開口を前記光射出口としたものを挙げることができる。
【００１２】
視覚的な効果を考慮した具体的態様としては、前記ケーシングの少なくとも一部を透明壁で構成し、その透明壁を介して前記多角錐状体を外部から視認可能に構成しているものを挙げることができる。
【００１３】
特に、前記多角錐状体が四角錐、五角錐、乃至六角錐であるものが好ましく、特には正多角錐体がよい。またその素材としては、水晶が好適である。
【００１４】
一方、特にいやしやリラクゼーション等の精神的な治療或いは治癒に着目すれば、１又は複数のケーシングと、外部に光を射出可能に前記ケーシングに収容したＬＥＤと、外部から入力された音声信号を受け付ける音声信号受付部と、受け付けた音声信号が示す音声の音量、音程又は音質の変化を、所定の変換パターンに基づいて前記ＬＥＤの光量変化に変換するＬＥＤ制御部とを備えているものでも構わない。光量変化は視覚認識可能にしておくことが望ましい。
【００１５】
前記変換パターンとして簡単には音量等の変化波形をそのまま光量変化波形に変換するものが考えられる。ところがこのような変換では、揺らぎを小さくすべく、光量変換への増幅率を下げると、光量が全体として小さくなり、暗いイメージを与える。一方、揺らぎを大きくすべく光量変換への増幅率を上げると、光量が大きくなりすぎたり、あるいはＬＥＤの許容最大光量で波形がカットされ、所期の変換波形と大きく異なってしまう場合が生じ得る。これらの不具合を回避する一具体例としては、揺らぎ幅調整手段と全体光量調整手段とをさらに備え、揺らぎ幅調整手段を操作することにより、光量変化の振幅量を設定可能に構成するとともに、全体光量調整手段を操作することにより、全体光量（或いは平均値）を設定可能に構成したものを挙げることができる。
【００１６】
このようなものであれば、全体光量と揺らぎ量とを別個に操作できるため、前記不具合を回避できるうえ、例えば揺らぎ幅を小さくすることでかすかな揺らぎになり、光治療装置としてではなく、通常の照明装置としても十分に使用できることとなり、使い勝手が格段に向上する。
【００１７】
一方、音声信号の大きさがあまりに大きいと、光量変換への増幅率を上げたと同様に、ＬＥＤの許容最大光量で波形がカットされ、所期の変換波形と大きく異なってしまう場合が生じ得る。これを使用者が知り、音声入力量を適切な量に調整できるようにするには、音声信号受付部からＬＥＤ制御部に出力される音声信号の大きさが、ＬＥＤの許容最大光量に応じて予め定めた所定値の近傍又はそれを超えた時に発光する１又は複数のインジケータをさらに備えているものが好ましい。
【００１８】
生音声など、入力側で音声信号の大きさを調整できない場合には、外部音声を音声信号に変換するマイクと、音声信号受付部に入力された音声信号に対して出力される音声信号のゲインを調整するための音声ゲイン調整手段とをさらに備え、前記音声ゲイン調整手段を操作することにより、ＬＥＤの許容最大光量を超えない範囲で音声信号をＬＥＤの光量に変換できるように構成しているものが好ましい。
【００１９】
その他、ＬＥＤの光量を十分に得つつ、しかも音量等の変化にある程度対応した光量変化を得ることができる具体的態様としては、前記ＬＥＤ制御部が、前記音量、音程又は音質の変化が増大から減少に転じるポイントで常に一定の上限光量になるように、光量を変化させるものであることが望ましい。
【００２０】
ユーザが複数の変換パターンから好みのものを選択できるようにするには、前記変換パターンを複数種類記憶している変換パターン格納部と、前記各変換パターンのうちから所望の変換パターンを選択するための選択入力部とをさらに備えているものがよい。
【００２１】
光の色を音声信号に合わせて変えるようにしても良い。具体的には、前記ＬＥＤ制御部が、受け付けた音声信号が示す音声を構成する音量、音程、音質のいずれか１つの変化に対応させて前記ＬＥＤからでる光の色を視覚認識可能に変化させるものを挙げることができる。
【００２２】
光量変化を容易に行え、寿命や光量安定性等にも優れたＬＥＤとしては、ＬＥＤを利用したものを挙げることができる。
【００２３】
神社仏閣のように複数のケーシングを並べて設ける場合には、各ケーシングから射出される光の揺らぎを同期させることや、これとは逆に異ならせることができるようにしておくことがユーザの要求に応えるうえで望ましい。
【００２４】
具体的な形状としては、前記ケーシングが多角錐状体であるものが望ましい。このようなものであれば、室内や枕元において室内インテリアとしても用いることができる。また、多角錐状体は、例えばピラミッドに代表されるように、古来より特別の効果があると言われてきているものであり、その暗示乃至明示的な治療効果や、この多角錐状体に光を通過させることによる光質変換による効果をも期待できる。
【発明の効果】
【００２５】
本発明によれば、ＬＥＤから多角錐状体を介して青色乃至緑色等の可視光が射出されるため、非常に美しく、光による物理的な治療効果に併せて、視覚による精神的な効果を相乗して得ることができる。また、多角錐状体は、例えばピラミッドに代表されるように、古来より特別の効果があると言われてきているものであり、その暗示乃至明示的な治療効果や、この多角錐状体に光を通過させることによる光質変換による治療効果をも期待できる。さらに、ＬＥＤを用いているため、小型化が可能で安全性にも富み、家庭でも手軽に扱うことができるものを容易に提供できる。
【００２６】
また本発明によれば、ＬＥＤからの光が、音声信号に合わせて独特に揺らぐため、その揺らぎによる光質の変化や、或いは例えば視覚による揺らぎ認識によって、精神的な治療効果、すなわちいやしやリラクゼーション効果等を得ることができる。
【発明を実施するための最良の形態】
【００２７】
＜第１実施形態＞
【００２８】
以下に本発明の一実施形態について図面を参照して説明する。
【００２９】
本実施形態に係る光治療装置１００は、図１〜図４に示すように、生体治療光を発する治療装置本体１と、その治療装置本体１を介して電力を供給するとともに前記生体治療光の発光態様を制御する制御装置６とを備えたものである。
【００３０】
各部を詳述する。
【００３１】
各部を説明すると、治療装置本体１は、図１〜図３に示すように、複数のＬＥＤ２と、それらＬＥＤ２の前方に配置した透明中実の多角錐状体である正六角錐体３と、それらＬＥＤ２及び六角錐体３を収容するケーシング４とを備えている。
【００３２】
ＬＥＤ２は、例えば発光素子を砲弾型の樹脂でモールドしたタイプのもので、青色光（波長約４７０ｎｍ）を発する。そして円形配線基板２１上に複数が敷き詰められるように配設してある。
【００３３】
六角錐体３は、例えば、天然水晶や人工水晶等を素材として形成した透明中実のものであり、もちろんその他にガラスや樹脂等でも形成することは可能である。
【００３４】
ケーシング４は、一端面を光射出口４ａとして開放し他端面を閉塞した例えば円筒状をなす中空のもので、前記光射出口４ａ側の略半分をガラスや樹脂等の透明壁４１で構成する一方、他端側の残りの部分を金属等の熱伝導性に富む非透明壁４２で構成している。そしてこのケーシング４の他端側に前記ＬＥＤ２を配線基板とともに収容し、側方からは前記非透明壁４２に遮られてＬＥＤ２が見えないように構成するとともに、ＬＥＤ２で発生する熱をその非透明壁４２を介して外部に有効に放熱できるようにしている。一方、六角錐体３は、その先端を前記光射出口４ａ側に向けるとともにその底面をＬＥＤ２に近接又は当接させてケーシング４の内部に収容してある。そして、この六角錐体３の先端側一部を、側方から前記透明壁４１を介して視認できるように構成している。
【００３５】
さらに本実施形態では、このケーシング４の光射出口４ａに光透過性を有したキャップ５を取り付け、この光射出口４ａを覆うようにしている。このキャップ５は、円盤状をなす樹脂製の弾性部材であり、生体所要箇所に密着させた場合に撓み変形を伴い得るものである。
【００３６】
一方、前記制御装置６は、ケーブルＣＡを介して前記ＬＥＤ２に発光のための電力を供給するものであり、図１に示すように、筐体６０内に設けたディスクリート回路乃至ＣＰＵを利用した電気的ハードウェアによって、前記ＬＥＤ２から発される光の強弱を制御可能に構成してある。
【００３７】
この制御装置６は、図５に内部機能ブロックを示すように、前記ハードウェアを適宣構成することによって、供給されたＡＣ電流を直流化する直流変換部６３や、ボリュームや外部からの光量信号を受け付ける光量信号受付部６６、あるいは受け付けた光量信号に基づいて前記直流電流の電圧を変化させ、或いはＰＷＭ変換する等してＬＥＤ２に供給する電流を制御する光量制御部６４等を備えている。しかして本実施形態では、お経や音楽などの音声を示す音声信号を受け付ける音声信号受付部６１と、受け付けた音声信号を記憶し格納する音声信号格納部６５と、その音声信号の示す音声の音量、音色、音程の少なくとも一つ（この実施形態では音量）に合わせて前記ＬＥＤ２から発される光の発光パターンを制御するパターン制御部６２とをさらに設けている。
【００３８】
音声信号受付部６１は、例えば、図示しない音声入力端子を備え、その音声入力端子とＣＤプレーヤやビデオデッキの音声出力端子とをケーブルで接続することにより、ユーザの好みの音楽等をデジタル又はアナログの音声信号として受け付けることができるものである。
【００３９】
音声信号格納部６５は、受け付けた音声信号を記憶するもので、複数の音声信号を記憶できるようにしてもよい。
【００４０】
パターン制御部６２は、図１３に示すように、例えば音声信号の振動波形に応じて、ＬＥＤの発光パターン、すなわちＬＥＤに与える電流信号のデューティ比を変化させるものである。この実施形態では、光量制御部６４で、パルスの高さ（電圧）が設定され、パターン制御部６２でパルスのデューティ比が設定されるようにしてある。
【００４１】
もちろん、図１４に示すように、パターン制御部６２で音声信号の振動波形に追随するようにパルスの高さを変える一方、光量制御部６４では、デューティ比を変えて光量を制御するようにするなど、種々の変形は可能である。
【００４２】
このように構成した光治療装置１００は、以下のように動作する。ＬＥＤ２を点灯すると、そこから出た青色の光は、六角錐体３の底面から内部に導入され、その先端側から生体治療光として射出される。そしてその生体治療光は、ケーシング４の光射出口４ａを通って外部に射出される。一方、音楽やお経等の音声信号を音声信号受付部６１に入力することで、その音声に併せて前記ＬＥＤ２から発される光の発光パターンを変化させることもできる。
【００４３】
この光治療装置１００を用いて、例えば精神的なリラックス効果やいやし効果、あるいは入眠効果等を得たい場合には、図１に示すように、額中央に光射出口４ａを近接させるか、密着させ、所定時間ＬＥＤ２を点灯すればよい。本発明者等の実験では、胸部中央に生体治療光を照射することも同様の効果を得る上で有効である。また、鎮痛や消炎作用を得るには、患部にこの光治療装置１００からの生体治療光を照射することが有効である。また、好みの音楽やお経等の音声を入力することにより、さらに治療の効果を上げることも可能である。
【００４４】
次に、具体的な効果を示す実験データに関して以下に説明する。
【００４５】
この実験は、比較も含めたデータを取得するために、被験者Ｍに対し、以下に示す（１）〜（５）の各条件下で脳波（α波及びβ波）、指先皮膚抵抗値等を測定したものである。条件とは、
【００４６】
（１）何もしない
【００４７】
（２）六角錐体３のみを被験者Ｍの額中央に近接させる
【００４８】
（３）ＬＥＤ２からの光を直接被験者Ｍの額中央に照射する
【００４９】
（４）本光治療装置１００の光射出口４ａ（キャップ５）を被験者Ｍの額中央に密着させて光を照射する
【００５０】
（５）光治療装置１００の照射後、何もしない
【００５１】
という５つである。
【００５２】
なお各条件でのデータ測定時間はそれぞれ約１０分間である。また、各測定の時間を横軸にとった波形データを図１２に示す。
【００５３】
ここではます脳波の波形を各条件で比較し、解析した結果を説明する。光治療装置１００を用いていない（１）、（２）及び（３）の条件下では、α波及びβ波は、図６〜図８に示すように、それらの平均値を比較するといずれが優位とも言えず、ほとんど同じレベルである。ところが、光治療装置１００で光を照射している（４）と、その後の（５）では、図９、図１０に示すように、α波がβ波に比して明らかに優位となっている。また、α波自体の絶対レベルも、図６〜図１０の平均値データをグラフ化した図１１に示すように、（１）、（２）、（３）に比べ（４）、（５）の方が明らかに高くなっている。なお、この図１１では、条件（１）での値を１とし、残りの条件下での値を条件（１）に対する比率で示している。これらのことから被験者Ｍが、この光治療装置１００での治療によって、リラックス状態になっていることがわかる。特に注目すべきは（５）のデータである。すなわち光治療装置１００を用いた後、これを取り外しても、その効果が持続することがわかる。なお、前記図１１では、条件（１）での値を１とし、残りの条件下での値を条件（１）に対する比率で示している。
【００５４】
次に皮膚抵抗値のデータを各条件で比較し、解析した結果を説明する。皮膚抵抗は、副交感神経優位、すなわちリラックス状態になってくるとその値が低下することが知られている。そこで、皮膚抵抗値の平均データを見ると、前記図１１に示すように、（１）の状態に比して、（４）（５）の状態では、抵抗値が大きく低下していることがわかる。特に、特に（５）においてその傾向が顕著となる。つまり、被験者Ｍが光治療装置１００で治療されることによってリラックス状態になることは、皮膚抵抗値のデータからも判断できる。さらには、脳波データからも導かれたように、光治療装置１００を取り外した後もその治療効果が持続することがわかる。
【００５５】
このように、本実施形態に係る光治療装置１００によれば、物理的な治療効果に併せて、精神的な治療効果を相乗して得ることができる。これは、ＬＥＤ２から六角錐体３を介して青色の非常に美しい光が射出され、なおかつそれを被験者Ｍがケーシング４の透明壁４１を介して外部から視認できるため、カラーセラピー効果を同時に得られるということがその原因の一つであると考えられる。
【００５６】
また、多角錐状体は、例えばピラミッドに代表されるように、古来より特別の効果があると言われてきているものであり、本実施形態のように六角錐体３に光を通過させることによる光質変換効果や、暗示的乃至明示的な治療効果が得られるためであるとも考えられる。
【００５７】
さらに、ＬＥＤ２を用いているため、小型化が可能で安全性にも富み、家庭でも手軽に扱うことができる。
【００５８】
なお、本実施形態は種々の変形が可能である。
【００５９】
例えば、全てのＬＥＤが同一の光を発するものである必要はなく、赤色や黄色、赤外線、紫外線等を射出するＬＥＤを混在させてもよいし、フルカラーＬＥＤを用いてもよい。その場合、例えば各ＬＥＤの発光光量を制御することで、生体治療光の全体としての色彩を時系列的に変化させ、カラーセラピー効果をより高めるようにしてもよい。さらにこの色彩の変化を前記音声信号に基づいて行うようにしても構わない。
【００６０】
特には青色乃至緑色光（波長にして約４００ｎｍから約５６０ｎｍまでの光）を射出するものが好ましく、より好ましくは波長にして約４５０ｎｍ〜約５３０ｎｍの光がよい。
【００６１】
また、ＬＥＤは、砲弾型のものに限られず、チップタイプのものでもよいし、さらには単数でも構わない。単数の場合は、連続して２００ｍＡ以上の電流を流すことができ、大光量の光を射出できるパワーＬＥＤを用いることが好ましい。
【００６２】
ケーシングは、全部透明でも構わないし、全部不透明でもよい。もちろんその形態は円筒状に限られず、用途に応じて他の種々の形態にしても前記実施形態と同様の作用効果が得られる。
【００６３】
さらに言えば、治療装置本体を生体に装着固定するための装着具を設けるようにしてもよい。装着具の一例としては、ケーシングに取り付けられたベルトを挙げることができる。このベルトを例えば被験者の頭部に巻くことにより、治療装置本体を額に装着することができる。
【００６４】
また、治療装置本体は必ずしも生体に密着させる必要はなく、若干離間させるようにしてもよい。その場合は、治療装置本体を空中の所望位置で保持する例えばフレキシブルアームを設けておくことが好ましい。
【００６５】
加えて、例えば制御装置にタイマー機能を持たせ、所定時刻でのＬＥＤの入切ができるようにすればなおよい。入眠後、一定時間で電源を切ること等ができるからである。
【００６６】
＜第２実施形態＞
【００６７】
以下に本発明の第２実施形態について図面を参照して説明する。なお、この実施形態での符号は前記第１実施形態で付した符号と独立している。
【００６８】
この実施形態における光治療装置１００’は、図１５に示すように、システム化された灯籠型の照明システムとして神社仏閣等に配置し得るようにしたものである。このものは、同図に示すように、例えば通路Ｒの両側に沿って並び設けた複数のケーシングたる灯籠本体１’と、各灯籠本体１’に収容した発光器２’及び制御装置３’とを備えている。
【００６９】
灯籠本体１’は、図１６に示すように、例えば円筒状のもので、戸外の地面に設置した柱状の基礎部１１’と、その基礎部１１’の上端に設けた照明部１２’とからなる。
【００７０】
基礎部１１’は上方に開口する中空のもので、後述する発光器２’や制御装置３’、或いは図示しない電源を内部に収容している。なお、電源には電池（太陽電池や乾電池等どのような種類のものであってよい）を用いている。もちろんＡＣ電源を用いても良いが、敷設に手間がかかること等の理由からこの実施形態では電源を電池としている。
【００７１】
照明部１２’は、前記基礎部と同径の下方に開口する中空のもので、透光性及び光散乱性を有する等厚の部材（例えば防水膜を有した和紙等）で形成した外周壁１２ａ’と、その外周壁１２ａ’の上端面を覆うように設けた光反射性を有する頂板１２ｂ’とを備えている。
【００７２】
発光器２’は、図１６、図１７に示すように、例えば前記基礎部１１’の上端部に水平に配置した配線基板２１’と、その配線基板２１’に上向きに光を射出するように配置した複数のＬＥＤ２２’とを備えている。この図では各ＬＥＤ２２’が平面視略正方形状をなすように配置されている。これらＬＥＤ２２’から上方に射出された光は、基礎部１１’の上端開口を通過して照明部１２’内に導かれ、直接又は前記頂板１２ｂ’で反射して照明部１２’の外周壁１２ａ’に到達し、その外周壁１２ａ’で散乱して外部に射出されるように構成してある。
【００７３】
制御装置３’は、図１８に示すように、例えばＣＰＵ１０１’、メモリ１０２’、スイッチ等の入力手段１０３’、ＡＤ変換器１０４’、ＰＷＭ部１０５’、入出力インタフェース１０６’等を有した１チップマイコンと、その１チップマイコンに接続した増幅器１０７’等を備えたもので、前記基礎部１１’における発光器２’の下方に配置してある。この制御装置３’は、前記メモリ１０２’に記憶させたプログラムにしたがって、前記ＣＰＵ１０１’とその周辺機器とを協働させることにより、音声信号受付部６’、ＬＥＤ制御部４’、変換パターン格納部Ｄ１’、選択入力部５’等としての機能を発揮する（図１９参照）。以下に各部を詳述する。
【００７４】
音声信号受付部６’は、図示しないバッファや前記ＡＤ変換器１０４’等を利用して構成したものであり、例えばテープレコーダの出力端子等から入力される所定形式の外部音声信号を受け付け、所定のサンプリング間隔でＡＤ変換し、各サンプリング時刻での音量に対応する値が複数、時系列に並んでなるデジタルデータを生成するものである。なお、この音声信号受付部６’は、入力手段１０３’の一つである外部／内部切替スイッチ（図示しない）が外部側に設定されている場合にのみ外部音声信号を受け付けてデジタルデータ化し、後述する発光体制御部４’に伝送する。外部音声信号はユーザの好みのものでよく、例えば、音楽やお経等を示すものが挙げられる。
【００７５】
ＬＥＤ制御部４’は、前記第１実施形態におけるパターン制御部及び光量制御部の機能を併せ持つもので、前記音声信号受付部６’で受け付けた外部音声信号を取得し、その音声信号が示す音声の音量変化を、所定の変換パターンに基づいて前記ＬＥＤ２２’の視覚認識できるような光量変化に変換するものである。このＬＥＤ制御部４’は前記ＰＷＭ部１０５’、増幅器１０７’等を含んで構成してあり、光量変化はＰＷＭ方式で行っている。なお、前記外部／内部切替スイッチが内部側に設定されている場合には、ＲＡＭ等の書換可能なメモリ１０２’の所定領域に設定してある音声信号格納部Ｄ２’から内部音声信号を取得する。この音声信号格納部Ｄ２’には、例えば前記第１実施形態同様、予め音声信号を１又は複数記憶させてある。記憶させるにあたっては、例えば図示しない記録スイッチを入れた状態で音声信号を入力したり、あるいは、図示しない記録専用の別端子から音声信号を入力したりするようにしている。
【００７６】
前記変換パターンは、具体的には、複数種類が用意してあって、メモリ１０２’の所定領域に設定した変換パターン格納部Ｄ１’に記憶させてある。そしてこのＬＥＤ制御部４’は、選択入力部５’で受け付けた値に基づいて前記変換パターン格納部Ｄ１’から変換パターンを取得し、その取得した変換パターンに基づいて、前記音声信号の示す音量変化を、発光器２’の光量を変化させるための光量変化信号に変換する。なお、選択入力部５’は、入力手段１０３’の一つであるパターン切替スイッチ（図示しない）を利用して構成してある。
【００７７】
この実施形態において前記光量変化信号はＰＷＭ部１０５’が出力するパルス波のＯＮ／ＯＦＦ時間の比の時間変化を示す信号であり、この光量変化信号は、ＰＷＭ部１０５’でそのＯＮ／ＯＦＦ時間比を有した数百Ｈｚ以上のパルス波に変換され、増幅器１０７’を介してＬＥＤ２２’の光量に変化される。ＬＥＤ２２’の光量を電流値又は電圧値で制御している場合には、前記光量変化信号を、駆動電流値又は駆動電圧値の変化を示すものにすればよい。
【００７８】
しかして前記変換パターンには、図２０に示すように、例えば以下の４種類が用意してある。
【００７９】
１．音声信号の示す音量変化波形に比例する形状の波形で発光器２’の光量を変化させる。このとき発光器２’の光量変化波形は、発光量の許容最大値と最小値との間に収まるように拡縮又はオフセットされる。
【００８０】
２．音声信号の示す音量変化波形に比例する形状の波形で発光器２’の光量を変化させる。このとき発光器２’の光量変化波形は、増大方向にオフセットされ、発光量の許容最大値を超える部分はその最大値でカットされる。
【００８１】
３．音声信号の示す音量変化波形に比例する形状の波形で発光器２’の光量を変化させる。このとき発光器２’の光量変化波形は、減少方向にオフセットされ、発光量の許容最小値を下回る部分はその最小値でカットされる。
【００８２】
４．前記音量変化が増大から減少に転じるポイントで常に一定の上限光量となるように、光量を変化させる。音量変化波形と、光量変化波形とは形状が比例しない。具体的には図２１に示すように、以下のような処理を行う。
【００８３】
（１）音量変化波形データの山の頂点を特定する。すなわち音量変化波形データのある時刻の値（現在値という）を次のサンプリング時刻での値（次の値という）から引いた値がプラスからマイナスに転じた時点での前記現在値を特定する。
【００８４】
（２）次に、予め定めた上限値から前記現在値を引いた差分値を算出し、その山を構成する音量変化波形データの各値に前記差分値を加える。このようにして算出されたデータが光量変化波形を形成する。前記山を構成するデータは、現在値を次の値から引いた値がマイナスからプラスに転じる時点を最初として、次に再びマイナスからプラスに転じる時点までの間のデータのことである。
【００８５】
（３）次の山の頂点を特定し、同様のことを最後まで繰り返す。
【００８６】
このように構成した本実施形態に係る灯籠システム１０の動作の一例を以下に説明する。
【００８７】
まず電源が入れられると、初期化処理が行われる（ステップＳ１）。
【００８８】
次に音声信号受付部６’が、外部／内部切替スイッチの値を読み込む（ステップＳ２）。
【００８９】
前記スイッチが「外部」に設定されていれば、外部音声信号を読み込み（ステップＳ３）、ＡＤ変換処理してその音声信号をデジタルデータ化する（ステップＳ４）。一方、前記スイッチが「外部」に設定されていれば、音声信号格納部Ｄ２’に予め格納されている内部音声信号を読み込む（ステップＳ５）。
【００９０】
次にＬＥＤ制御部４’が、選択入力部５’で読み込まれたパターン切替スイッチの示す値を取得し（ステップＳ６）、その値に応じて前記変換パターン格納部Ｄ１’から変換パターンを抽出する（ステップＳ７）。そしてその変換パターンに基づいて音量変化を光量変化に変換し、ＬＥＤ２２’を駆動する（ステップＳ８）。
【００９１】
終了（例えば電源が切られる）まで前記ステップＳ２〜ステップＳ８を繰り返す。
【００９２】
このように構成した本実施形態に係る光治療装置１００’によれば、特にいやしやリラクゼーション等の精神的な治療或いは治癒効果を期待することができる。
【００９３】
なお、本実施形態は種々の変形が可能である。
【００９４】
例えば、前記実施形態では各灯籠本体１’にそれぞれ独立して制御装置３’を組み込み、それら制御装置３’にそれぞれ入力された音声信号により各発光器２’を独立して駆動できるように構成してあるが、１つの制御装置のみで複数の灯籠本体の発光器を制御するようにしてもよい。この場合、各発光器からでる光を同期させて揺らがせる場合と独立して揺らがせる場合とをスイッチ等で選択できるようにしたり、発光器毎に音声信号を異ならせる場合と全部同じ音声信号で駆動する場合とを、やはりスイッチ等で選択できるようにしておけば、多くの揺らぎバリエーションを実現でき、ユーザの種々の要求に応えられるものとなる。もちろん、同様の機能を各制御装置を有線乃至無線で互いに接続することにより実現しても構わない。
【００９５】
また、発光器はＬＥＤを利用したものに限られず、白熱球や、その他の光源を用いてもよい。
【００９６】
さらに、音量の変化で発光量を変化させることのみならず、音程や音質の変化、或いはそれらの組み合わせで発光量を変化させるようにしても良い。具体的に音程の場合には、周波数解析装置を設けておき、入力された音程の変化、すなわち音声の基本周波数の変化に応じて光量を変化させるようにすればよい。音質の場合は、基本周波数に重畳する高調波の大きさや周波数の変化に応じて光量を変化させるようにすればよい。
【００９７】
光量変化は視覚認識可能である必要はなく、ＦＭ変調のように、視覚では認識できない非常に速い揺らぎに変えても構わない。このようにすれば、仕事や勉強に用いる通常の照明にも適用できる。もちろん変換の手法として、第１実施形態の図１３、図１４で示したようなものを用いてもよい。
【００９８】
加えて、発光器の色を音声信号によって視覚認識可能に変化させるようにしてもよい。発光器に例えば多色ＬＥＤを用いれば実現可能である。
【００９９】
＜第３実施形態＞
【０１００】
以下に第３実施形態を説明する。なお、この実施形態で、前記第２実施形態に対応する部材には同一の符号を付している。
【０１０１】
この第３実施形態に係る光治療装置１００’は、前記第２実施形態同様、外部から入力された音声信号を受け付け、受け付けた音声信号が示す音量の変化を所定の変換パターンに基づいてＬＥＤ（図示しない）の光量変化に変換するもので、単一のケーシング１’を有し、部屋の照明や枕元の照明等の屋内照明にも用いることができるようにしたものである。
【０１０２】
具体的にこのものは、図２３に示すように、ケーシング１’の形状が、例えば多角錐状体（この例ではピラミッド型四角錐）をなす。そして、ケーシング１’の基礎部１１’に種々の操作手段（スイッチやボリューム）７１’〜７７’、或いは図示しないコネクタ等が設けてあって、これらの操作を、基礎部１１’に収容した制御装置（図示しない）が受け付け、その操作にしたがってＬＥＤ（図示しない）の発光態様を制御するようにしている。ＬＥＤはケーシング１’の頂点から約１／３の高さのところに設置してあり、いわゆるピラミッドパワーとしての心理効果が得られるように構成している。
【０１０３】
内部の機能ブロック図を図２５に示す。特にこの実施形態で特徴的なところは、操作手段に揺らぎ幅調整手段であるＤＥＰＴＨボリューム７１’と、全体光量調整手段であるＬＩＧＨＴボリューム７２’とを設けており、これらのボリューム７１’、７２’により音声−光量波形変換のゲイン等を独特の方法で定められるようにしている点にある。ＤＥＰＴＨボリューム７１’は、その操作により光量変化の振幅量を設定することができ、ＬＩＧＨＴボリューム７２’は、その操作により全体光量を設定することができる。詳細は後述する。
【０１０４】
加えてこの実施形態では、ケーシング１’の基礎部１１’に音声信号の入力量（入力電圧）を示すインジケータ７８’が複数個設けてある。これらインジケータ７８’は、音声信号受付部６’からＬＥＤ制御部４’に送信される音声信号の大きさを視覚的に示すもので、特のその一つ（図中一番上のもの）は、ＬＥＤの許容最大光量に応じて予め定めた所定値を超えた時に発光する。
【０１０５】
また、その他にＲＥＣスイッチ７４’、ＰＬＡＹスイッチ７５’、セレクトスイッチ７６’、音声出力ボリューム７７’、パワースイッチ７３’等が設けてある。
【０１０６】
簡単にこれらについて説明しておくと、ＲＥＣスイッチ７４’は、ＯＮにすることにより、音声信号受付部６’で受け付けた音声信号を音声信号格納部Ｄ２’に格納させるものである。より具体的にはＬＥＤ制御部４’がＲＥＣスイッチ７４’の値を読み取って音声信号格納部Ｄ２’に音声信号を書き込ませる。
【０１０７】
ＰＬＡＹスイッチ７５’は、ＯＮにすることにより、音声信号格納部Ｄ２’の中の音声信号をＬＥＤ制御部４’に出力させるものである。より具体的にはＬＥＤ制御部４’がＰＬＡＹスイッチ７５’の値を読み取って外部／内部切替スイッチＳＷ１を駆動し、内部側、すなわち音声信号格納部Ｄ２’をＬＥＤ制御部４’に接続させる側に設定する。
【０１０８】
セレクトスイッチ７６’は、音声信号格納部Ｄ２’に１又は複数格納されている音声信号のどれを出力させるかを設定する。この実施形態では、音声信号格納部Ｄ２’に使用者が任意の音声信号を書き込めるようになっているが、その一部に書換できない態様で、いやし効果等が高いと考えられる音声信号が予め格納してあるため、少なくともこの規定音声信号とその他の任意音声信号とをこのセレクトスイッチ７６’で選択することができる。
【０１０９】
さらにこの実施形態では、入力された音声信号を内蔵したスピーカにより音声として出力できるよう構成してあり、音声出力ボリューム７７’は、その音声出力の大きさを定めるものである。
【０１１０】
パワースイッチ７３’は電源のＯＮ／ＯＦＦに用いられる。
【０１１１】
次に、ＤＥＰＴＨボリューム７１’とＬＩＧＨＴボリューム７２’とを用いて行う波形変換の例を図２５、図２６に図示する。各ボリューム７１’、７２’の操作幅を例えば０〜１００として、図２５では、ＤＥＰＴＨボリューム７１’を操作した場合の光量変化波形の変化を示している。図２６では、ＬＩＧＨＴボリューム７２’を操作した場合の光量変化波形の変化を示している。ＤＥＰＴＨボリューム７１’を操作すると、光量は最大ポイント（ＬＩＧＨＴボリューム７２’の値がＭＡＸ１００であれば許容最大光量値）を固定点としてその振幅が増減する。ＬＩＧＨＴボリューム７２’を操作すると、その最大ポイントの大きさが増減する。またＤＥＰＴＨボリューム７１’で設定した振幅量はＬＩＧＨＴボリューム７２’の操作量に比例して増減する。
【０１１２】
このように構成した光治療装置１００’の操作方法を以下に説明する。
【０１１３】
まず音声信号を入力する。このときインジケータ７８’のいずれかが音声信号の大きさに応じて点灯するが、そのうちの一つは音声信号受付部Ｄ２’からＬＥＤ制御部４’に出力される音声信号の値が、ＬＥＤの許容最大光量に応じて予め定めた所定値の近傍又はそれを超えた時に発光するものであるため、これが発光しないように、あるいは発光するかどうかのぎりぎりのところになるように、音声信号の大きさを調整する。このことにより、音声信号から変換される光量がサチュレートしないことが担保される。この状態でＤＥＰＴＨボリューム７１’とＬＩＧＨＴボリューム７２’との値をそれぞれ１００にして得られる光量変化波形を図２７に示す。
【０１１４】
次に例えばＤＥＰＴＨボリューム７１’を操作して２０に設定すると、光量は最大ポイントを固定点としてその振幅が２０／１００、すなわち２０％に減少する（図２８参照）。
【０１１５】
さらに例えばＬＩＧＨＴボリューム７２’を操作して７０に設定すると、光量は最大ポイントが７０になり、振幅もそれに比例して減少する。つまり、０．２×０．７＝０．１４となり、振幅は各ボリューム７１’、７２’の値がそれぞれ１００であった場合と比べると１４％に減少する（図２９参照）。
【０１１６】
ちなみにここからＤＥＰＴＨボリューム７１’を操作して６０に設定すると、ＬＩＧＨＴボリューム７２’の値が７０であるから、０．６×０．７＝０．４２となり、振幅は各ボリューム７１’、７２’の値がそれぞれ１００であった場合と比べると４２％になる（図３０参照）。
【０１１７】
このようにして各ボリューム７１’、７２’を調整することにより、使用者の好みの光を得ることができる。例えば、ＤＥＰＴＨボリューム７１’を大きくとることにより、光の揺らぎが大きくなり、大きな揺らぎを心地よいと感じる人に有効なものとなる。また逆に小さくとることにより揺らぎが小さくなるため、その揺らぎを視認できないほどのレベルにすることにより通常の照明と同じような使い方も十分できるようになる。
【０１１８】
なお、ＤＥＰＴＨボリューム７１’をあまり小さくしすぎると前述したように揺らぎを視認できないため、出荷時のＤＥＰＴＨボリューム７１’のデフォルト値を例えば５０程度に設定して揺らぎが確実に出るようにし、使用者が初期操作時にとまどいを覚えないようにしている。また、一旦使用者が自分で設定した各ボリューム７１’、７２’の値は、次の電源投入時にデフォールト値として記憶させるようにしている。
【０１１９】
また、インジケータ７８’によって光量が上方にサチュレートしないように音声信号の大きさを調整することによって、音声信号から変換される光量の変化波形の歪みを防止することができる。
【０１２０】
さらに、ＤＥＰＴＨボリューム７１’が最大ポイントを固定点として下方への振幅量を調整するものであるため、このことによっても光量の上方へのサチュレートを防止できる。一方、ＬＩＧＨＴボリューム７２’の操作により全体光量が変動するが、その操作量に比例して光量振幅量も増減するため、例えばＬＩＧＨＴボリューム７２’を絞っていっても、光量が下方にサチュレートし波形が歪むことを防止できる。このように、光量変化波形の形状を、原波形である音量変化波形の形状にほぼ保つ（振幅は変わるにせよ）ことができる。
【０１２１】
加えて前記第１実施形態同様、ケーシング１’が四角錐状体であり、ピラミッドに代表されるように、古来より特別の効果があると言われてきているものであるため、四角錐状体に光を通過させることによる光質変換効果や、暗示的乃至明示的な治療効果が得られると考えられる。
【０１２２】
同様な例として、図示しないが、音声信号から光量信号に変換する際の上限値を定める上限設定ボリュームと、音声信号から光量信号に変換する際の下限値を定める下限設定ボリュームとを設けたものを以下に説明する。
【０１２３】
この例では、ＬＥＤ制御部において、上限設定ボリュームで設定された上限値と、下限設定ボリュームで設定された下限値が読み込まれ、それら上限値及び下限値の間に光量変化波形が略収まるように、音声信号の波形の振幅比を設定して、すなわち縦方向の幅のみを変えて光量変化波形に変換される。
【０１２４】
この具体的な波形変換を図３１〜図３３に図示する。例えば図３１では上限値１００、下限値０に設定しており、この場合には音声信号の波形がそのまま光量変化波形に変換される。図３２では、例えば上限値１００、下限値８０に設定している。この場合には、同図に示すように、波形の変化幅、すなわち揺らぎが非常に小さくなるとともに平均光量が増大する。また、図３３では、例えば上限値５０、下限値０に設定している。この場合には、同図に示すように、波形の変化幅が半分程度になるとともに平均光量が減少する。
【０１２５】
このようなものであれば、上限設定ボリュームと下限設定ボリュームとで設定した上限値及び下限値の差を大きくとることにより、光の揺らぎが大きくなり、大きな揺らぎを心地よいと感じる人に有効なものとなる。また逆に小さくとることにより揺らぎが小さくなるため、その揺らぎを視認できないほどのレベルにすることにより通常の照明と同じような使い方もできるようになる。また、上限値及び下限値をそれぞれ大きな値或いは小さな値にすることにより光量の平均値を増減させることもできる。
【０１２６】
変換パターンも前記実施形態に限られず音声変化波形を逆転させるなど、いろいろなパターンを採用することができる。
【０１２７】
また、生音声など、入力側で音声信号の大きさを調整できない場合には、外部音声を音声信号に変換するマイクと、音声信号受付部に入力された音声信号に対して出力される音声信号のゲインを調整するための音声ゲイン調整手段とをさらに備え、前記音声ゲイン調整手段を操作することにより、ＬＥＤの許容最大光量を超えない範囲で音声信号をＬＥＤの光量に変換できるように構成しても構わない。
【０１２８】
加えて、音量のみならず音程又は音質の変化を光量変化に変換するようにしてもよい。この場合は、視覚認識できないほどの速さで光量が変化するため、一見通常の照明装置と同様な感じを利用者に与え、通常の照明装置としても十分に使用できるが、光質が変わることによるいやしやリラクゼーション等の精神的な効果を期待することができる。もちろん、光量変化のみらず光色変化に変換するようにしてもよい。
【０１２９】
さらに各実施形態や変形例の一部又は全部を適宜組み合わせて構成することももちろん可能である。その他、本発明はその趣旨を逸脱しない範囲で種々の変更が可能である。
【産業上の利用可能性】
【０１３０】
以上に詳述したように、本発明によれば、ＬＥＤからの独特の美しい可視光により、光による物理的な治療効果や視覚による精神的な効果を得ることができる。
【図面の簡単な説明】
【０１３１】
【図１】本発明の第１実施形態における光治療装置の全体を示す全体図。
【図２】同実施形態における治療装置本体の斜視全体図。
【図３】同実施形態における治療装置本体の正面図。
【図４】図３におけるＡ−Ａ線断面図。
【図５】同実施形態における制御装置の機能ブロック図。
【図６】同実施形態における実験データを示すデータ表。
【図７】同実施形態における実験データを示すデータ表。
【図８】同実施形態における実験データを示すデータ表。
【図９】同実施形態における実験データを示すデータ表。
【図１０】同実施形態における実験データを示すデータ表。
【図１１】図６から図１０のデータをまとめたグラフ。
【図１２】同実施形態における実験データを示す時系列グラフ。
【図１３】同実施形態における光パターンの制御例を説明する光パターン制御説明図。
【図１４】同実施形態における光パターンの他の制御例を説明する光パターン制御説明図。
【図１５】本発明の第２実施形態における灯籠システムの全体を示す全体図。
【図１６】同実施形態における灯籠本体を示す分解斜視図。
【図１７】同実施形態における発光器を示す平面図。
【図１８】同実施形態における制御装置の内部機器を模式的に示す内部機器模式図。
【図１９】同実施形態における制御装置の機能ブロック図。
【図２０】同実施形態における変換パターンを図示する変換パターン説明図。
【図２１】同実施形態における変換パターン４の内容を説明する変換パターン説明図。
【図２２】同実施形態の灯籠システムの動作を示すフローチャート。
【図２３】本発明の第３実施形態における光治療装置を示す全体図。
【図２４】同実施形態における制御装置の機能ブロック図。
【図２５】同実施形態における光量変化波形の一例を示す波形図。
【図２６】同実施形態における光量変化波形の一例を示す波形図。
【図２７】同実施形態における設定操作の結果生じる光量変化波形の例示図。
【図２８】同実施形態における設定操作の結果生じる光量変化波形の例示図。
【図２９】同実施形態における設定操作の結果生じる光量変化波形の例示図。
【図３０】同実施形態における設定操作の結果生じる光量変化波形の例示図。
【図３１】同実施形態の変形例における上限設定ボリューム及び下限設定ボリュームを操作した場合の光量変化波形の一例を示す波形図。
【図３２】同実施形態の変形例における上限設定ボリューム及び下限設定ボリュームを操作した場合の光量変化波形の一例を示す波形図。
【図３３】同実施形態の変形例における上限設定ボリューム及び下限設定ボリュームを操作した場合の光量変化波形の一例を示す波形図。
【符号の説明】
【０１３２】
１００・・・光治療装置
２・・・ＬＥＤ
３・・・多角錐状体（六角錐体）
４・・・ケーシング
４ａ・・・光射出口
４１・・・透明壁
５・・・キャップ
６・・・制御装置
６１・・・音声信号受付部
６２・・・パターン制御部
Ｍ・・・生体（被験者）
１００’・・・光治療装置（灯籠システム）
１’・・・ケーシング（灯籠本体）
２’・・・発光器
２２’・・・ＬＥＤ
４’・・・ＬＥＤ制御部
５’・・・選択入力部
６’・・・音声信号受付部
Ｄ１’・・・変換パターン格納部Ｄ１’
７１’・・・揺らぎ幅調整手段（ＤＥＰＴＨボリューム）
７２’・・・全体光量調整手段（ＬＩＧＨＴボリューム）
【図１】
2008178702.tif 000003
【図２】
2008178702.tif 000004
【図３】
2008178702.tif 000005
【図４】
2008178702.tif 000006
【図５】
2008178702.tif 000007
【図６】
2008178702.tif 000008
【図７】
2008178702.tif 000009
【図８】
2008178702.tif 000010
【図９】
2008178702.tif 000011
【図１０】
2008178702.tif 000012
【図１１】
2008178702.tif 000013
【図１２】
2008178702.tif 000014
【図１３】
2008178702.tif 000015
【図１４】
2008178702.tif 000016
【図１５】
2008178702.tif 000017
【図１６】
2008178702.tif 000018
【図１７】
2008178702.tif 000019
【図１８】
2008178702.tif 000020
【図１９】
2008178702.tif 000021
【図２０】
2008178702.tif 000022
【図２１】
2008178702.tif 000023
【図２２】
2008178702.tif 000024
【図２３】
2008178702.tif 000025
【図２４】
2008178702.tif 000026
【図２５】
2008178702.tif 000027
【図２６】
2008178702.tif 000028
【図２７】
2008178702.tif 000029
【図２８】
2008178702.tif 000030
【図２９】
2008178702.tif 000031
【図３０】
2008178702.tif 000032
【図３１】
2008178702.tif 000033
【図３２】
2008178702.tif 000034
【図３３】
2008178702.tif 000035
【手続補正書】
【提出日】平成20年4月1日(2008.4.1)
【手続補正１】
【補正対象書類名】特許請求の範囲
【補正対象項目名】請求項１
【補正方法】変更
【補正の内容】
【請求項１】
１又は複数のケーシングと、
外部に光を射出可能に前記ケーシングに収容したＬＥＤと、
外部から入力された音声信号を受け付ける音声信号受付部と、
受け付けた音声信号が示す音量、音程又は音質の変化を、所定の変換パターンに基づいて前記ＬＥＤの光量変化に変換するＬＥＤ制御部とを備えていて、
前記ＬＥＤからの光が前記音声信号に合わせて揺らぐように構成してある光治療装置。
【手続補正２】
【補正対象書類名】明細書
【補正対象項目名】０００６
【補正方法】変更
【補正の内容】
【０００６】
すなわち本発明に係る光治療装置は、１又は複数のケーシングと、外部に光を射出可能に前記ケーシングに収容したＬＥＤと、外部から入力された音声信号を受け付ける音声信号受付部と、受け付けた音声信号が示す音声の音量、音程又は音質の変化を、所定の変換パターンに基づいて前記ＬＥＤの光量変化に変換するＬＥＤ制御部とを備えていて、前記ＬＥＤからの光が前記音声信号に合わせて揺らぐように構成してあることを特徴とする。
【手続補正３】
【補正対象書類名】明細書
【補正対象項目名】００１４
【補正方法】変更
【補正の内容】
【００１４】
一方、特にいやしやリラクゼーション等の精神的な治療或いは治癒に着目すれば、光量変化は視覚認識可能にしておくことが望ましい。